(57)【要約】    【課題】  プロジェクタなどの画像表示装置の設定情報を表示画像上にスーパーインポーズして表示することなくユーザに提示する。    【解決手段】画像表示装置としてのプロジェクタ１は、設定情報を該プロジェクタ１が表示する画像中に電子透かしとして埋め込む電子透かし埋め込み処理部１３と、該電子透かしの埋め込まれた画像を表示させる画像表示処理部１４を有する。そして、このプロジェクタ１の情報取得を可能とする情報取得機器としてのリモコンは、プロジェクタ１によって表示された表示画像を撮像して得られた撮像画像から電子透かしの読み出しを行ってプロジェクタ１の設定情報を取得して、取得した設定情報を自身の表示画面上に表示させる。【選択図】        図２
2005204043.tif 000002
【特許請求の範囲】
【請求項１】
画像表示装置の設定情報や機器情報などの画像表示装置に関する情報を取得して、該取得した画像表示装置に関する情報をユーザに提示可能な機能を有する画像表示装置であって、
前記画像表示装置に関する情報を、該画像表示装置が表示する画像中に電子透かしとして埋め込む電子透かし埋め込み手段を有することを特徴とする画像表示装置。
【請求項２】
請求項１記載の画像表示装置において、前記表示する画像に電子透かしを埋め込むか否かを選択できる電子透かし埋め込み選択手段を有することを特徴とする画像表示装置。
【請求項３】
画像表示装置に関する情報を取得可能な画像表示装置の情報取得機器であって、
前記画像表示装置によって表示された表示画像を撮像可能な撮像手段と、
この撮像手段で撮像された撮像画像に前記画像表示装置に関する情報が電子透かしとして埋め込まれている場合、その電子透かしの読み出しを行って前記画像表示装置に関する情報の取得を行う電子透かし読み出し処理手段と、
この電子透かし読み出し処理手段で取得された前記画像表示装置に関する情報を表示可能な表示手段と、
を有することを特徴とする画像表示装置の情報取得機器。
【請求項４】
請求項３に記載の画像表示装置の情報取得機器において、前記画像表示装置の状態に設定するための設定操作がユーザによってなされることにより、その設定操作に対応した設定情報を前記画像表示装置に出力する設定情報出力手段をさらに有することを特徴とする画像表示装置の情報取得機器。
【請求項５】
画像表示装置に関する情報を画像表示装置の情報取得機器が取得して、取得した画像表示装置に関する情報に基づいて前記画像表示装置の状態をある状態に設定する画像表示装置の情報取得・設定方法であって、
前記画像表示装置は、該画像表示装置に関する情報を、該画像表示装置が表示する画像中に電子透かしとして埋め込む電子透かし埋め込みステップと、該電子透かしの埋め込まれた画像を表示させる画像表示ステップとを有し、
前記画像表示装置の情報取得機器は、前記画像表示装置によって表示された表示画像を撮像して得られた撮像画像から電子透かしの読み出しを行って、前記画像表示装置に関する情報の取得を行う電子透かし読み出しステップと、この電子透かし読み出しステップによって取得された前記画像表示装置に関する情報を表示させる表示ステップと、この表示ステップによる表示内容に基づいた設定操作がユーザによってなされることにより、その設定操作に対応する設定情報を出力する設定情報出力ステップとを有する、
ことを特徴とする画像表示装置の情報取得・設定方法。
【請求項６】
画像表示装置の設定情報や機器情報などの画像表示装置に関する情報を取得可能で、かつ、撮像手段を有する画像表示装置であって、
前記撮像手段で撮像された撮像画像に、前記画像表示装置に関する情報が電子透かしとして埋め込まれている場合、その電子透かしを読み出して前記画像表示装置に関する情報を取得する電子透かし読み出し処理手段を有することを特徴とする画像表示装置。
【請求項７】
撮像手段を有する画像表示装置によってあるコンテンツを表示させる際、該コンテンツの表示を行うに最適な情報を取得して、その取得した情報に基づいて前記画像表示装置をある状態に設定する画像表示装置の情報取得・設定方法であって、
前記コンテンツを表示させるに最適な情報が電子透かしによって埋め込まれた画像を前記撮像手段で撮像して得られた撮像画像から電子透かしを読み出して、前記コンテンツの表示を行うに最適な情報を取得する情報取得ステップと、この情報取得ステップによって取得された情報によって前記画像表示装置の状態をある状態に設定する状態設定ステップとを有することを特徴とする画像表示装置の情報取得・設定方法。
【請求項８】
請求項６に記載の画像表示装置で表示される画像に該画像表示装置の設定情報が電子透かしとして埋め込まれていることを特徴とする画像表示装置の設定情報が埋め込まれたコンテンツ。
【請求項９】
請求項８記載の画像表示装置の設定情報が埋め込まれたコンテンツにおいて、前記電子透かしの設定情報は、前記画像の冒頭部分に埋め込まれていることを特徴とする画像表示装置の設定情報が埋め込まれたコンテンツ。
【請求項１０】
請求項８または９記載の画像表示装置の設定情報が埋め込まれたコンテンツにおいて、前記電子透かしの設定情報は、前記画像の内容の変化に応じて必要箇所に埋め込まれていることを特徴とする画像表示装置の設定情報が埋め込まれたコンテンツ。
【発明の詳細な説明】
【技術分野】
【０００１】
本発明は、画像表示装置の設定情報や機器情報などの画像表示装置に関する情報を取得して、取得した情報に基づいて当該画像表示装置を最適な設定状態とする画像表示装置、画像表示装置の情報取得機器および画像表示装置の情報取得・設定方法ならびに画像表示装置の設定情報が埋め込まれたコンテンツに関する。
【背景技術】
【０００２】
一般に、テレビ受像機やパーソナルコンピュータ（ＰＣという）、さらにはプロジェクタなどの画像表示装置は、明るさや色の調整、形状の調整など、様々な調整が可能となっている。さらに、画像表示装置内部の様々な情報（たとえば、温度センサからの温度情報や画像表示装置の使用時間の情報など）を読み出すことのできる装置も存在している。
【０００３】
なお、上述の明るさや色の調整、形状の調整など様々な調整を行うための情報をここでは設定情報と呼び、上述の画像表示装置内部の様々な情報（たとえば、温度センサからの温度情報や画像表示装置の使用時間の情報など）をここでは機器情報と呼ぶことにし、また、これらをまとめて画像表示装置に関する情報と呼ぶことにする。
【０００４】
ユーザはこのような画像表示装置に関する情報を確認したい場合もあり、その場合は、所定の操作を行えば、これらの情報を読み出すことができるのが一般的である。しかし、これらの情報をユーザに提示する手段としては、通常は画像表示装置の画面の全体もしくは一部分に、設定を行うための情報などをスーパーインポーズして表示し、ユーザが設定を変えたい場合には、その表示を見ながらたとえば明るさなどの調整操作を行うというのが殆どであるが、これでは、たとえば、設定操作中は本来表示したい画像の視聴が阻害されるという問題が生じる。
【０００５】
また、画像表示装置には、たとえば、表示したいコンテンツの種類によって、細かな微調整が行える機能を持つものも存在している。これによって、たとえば、ある特定の映画をある特定の機種の画像表示装置（たとえばプロジェクタ）で視聴する場合、その映画の提供者がユーザ側に対し、そのプロジェクタの設定をどのように調整するのが最適なのかを指定し、その指定に応じた設定が行えれば、映画の作成者の意図により近い画像で視聴することができる。
しかし、現在ではこのような設定情報を画像表示装置側に自動的に提供したり画像表示装置が自動的に取得したりする技術は確立されていないのが現状である。
【０００６】
なお、上述したような設定情報を自動的に取得する技術を敢えて挙げるならば、たとえば、特許文献１に記載の技術がある。
この特許文献１の技術は、ディジタルスチルカメラなどで撮影した画像をプリンタやプロジェクタなどの画像出力装置で印刷や表示を行う際、画像出力装置側で個々のカメラの色再現特性および撮影者の撮影意図（夜景などを撮影する場合の特殊な設定など）を反映した画像処理を施して最適な画像出力を行おうとするものである。
【０００７】
これを実現するために、特許文献１の技術は、カメラの色再現性や撮影者の撮影意図を反映した画像処理制御を可能とする情報（画像処理情報）を撮影された画像データ内に電子透かしデータとして埋め込むというものである。そして、画像出力装置側では、画像データから電子透かしとして埋め込まれた画像処理情報を抽出し、抽出された画像処理情報に基づく画像処理を施した上で印刷や表示を行う。
このように、この特許文献１は、カメラ側の色再現性や撮影者の撮影意図を反映した画像処理制御をプリンタなどの画像出力装置側に伝達することを主な目的としている。
【特許文献１】特開２００２−３１４７９７号公報
【発明の開示】
【発明が解決しようとする課題】
【０００８】
上述した特許文献１の技術は、カメラ側の色再現性や撮影者の撮影意図を反映した画像処理制御を電子透かしデータとして画像データ内に埋め込むものであって、電子透かしの技術を従来のコンテンツ保護などの目的で用いるのとは異なった使い方をしており、それ自体は独創的なものであると考えられる。
【０００９】
しかし、この特許文献１は上述したように、カメラ側の色再現性や撮影者の撮影意図を反映した画像処理制御をプリンタなどの画像出力装置側に伝達することを主な目的としたものであり、画像出力装置そのものの設定情報や機器情報を電子透かしデータとして埋め込むものではない。すなわち、本発明は、前述したように、画像表示装置の設定を行うための情報などを画像表示装置の画面の全体もしくは一部分にスーパーインポーズして表示すると本来表示したい画像の視聴が阻害されるという問題を解決することを主な課題としているので、特許文献１の技術ではその課題を解決することはできない。
【００１０】
そこで本発明は画像表示装置の設定情報や機器情報などの画像表示装置に関する情報を、表示すべき画像中に電子透かしデータとして埋め込むことで、画像表示装置に関する情報を表示画像上にスーパーインポーズして表示させることなくユーザに提示可能とし、また、その画像表示装置に関する情報を画像表示装置に設定可能とする画像表示装置、画像表示装置の情報取得機器および画像表示装置の情報取得・設定方法ならびに画像表示装置の設定情報が埋め込まれたコンテンツを提供することを目的としている。
【課題を解決するための手段】
【００１１】
（１）本発明の画像表示装置は、画像表示装置の設定情報や機器情報などの画像表示装置に関する情報を取得して、該取得した画像表示装置に関する情報をユーザに提示可能な機能を有する画像表示装置であって、前記画像表示装置に関する情報を、該画像表示装置が表示する画像中に電子透かしとして埋め込む電子透かし埋め込み手段を有することを特徴としている。
【００１２】
このように、画像表示装置に関する情報を電子透かしとして埋め込むことができるので、該画像表示装置に関する情報を表示画像上にユーザの目に見える状態で表示させる必要がなくなり、本来の表示画像の表示中においてもその表示画像を阻害することがなくなる。なお、ユーザは電子透かしを読み出すことのできる機器（遠隔制御機器など）を用いることによって、その遠隔制御機器上で機器に関する情報を確認することができる。
また、上述の設定情報は、たとえば、表示画像の明るさ、色、形状などを設定するための情報であり、また、画像表示装置に関する情報が画像表示装置の機器情報であれば、たとえば、温度センサからの温情情報や装置の使用時間などである。
【００１３】
（２）前記（１）に記載の画像表示装置において、前記表示する画像に電子透かしを埋め込むか否かを選択できる電子透かし埋め込み選択手段を有することが望ましい。
これにより、必要に応じて電子透かしを埋め込むことができ、電子透かしを埋め込みたくない表示コンテンツなどに対しては、電子透かしを埋め込まないようにすることができる。
【００１４】
（３）本発明の画像表示装置の情報取得機器は、画像表示装置に関する情報を取得可能な画像表示装置の情報取得機器であって、前記画像表示装置によって表示された表示画像を撮像可能な撮像手段と、この撮像手段で撮像された撮像画像に前記画像表示装置に関する情報が電子透かしとして埋め込まれている場合、その電子透かしの読み出しを行って前記画像表示装置に関する情報の取得を行う電子透かし読み出し処理手段と、この電子透かし読み出し処理手段で取得された前記画像表示装置に関する情報を表示可能な表示手段とを有することを特徴としている。
【００１５】
これにより、画像表示装置によって表示された表示画像（電子透かしの埋め込まれた表示画像）をこの画像表示装置の情報取得機器で撮像することによって、その撮像画像から電子透かしを読み出して画像表示装置に関する情報を取得することができる。
【００１６】
このような画像表示装置の情報取得機器を用いて、他の画像表示装置の表示画像を撮像することにより、その撮像画像から電子透かしを読み出して画像表示装置に関する情報を取得することができる。たとえば、講演会場等の広い会場など、表示装置が1台では全ての人に情報を十分に伝えられないといった際、複数の画像表示装置に同一のコンテンツを表示させたいといった場合がある。このような場合、本発明によれば、上記のように他の画像表示装置の設定情報を画面に表示させることなく取得したり、設定情報を表示装置間で統一したりすることができる。
【００１７】
（４）前記（３）に記載の画像表示装置の情報取得機器において、前記画像表示装置の状態に設定するための設定操作がユーザによってなされることにより、その設定操作に対応した設定情報を前記画像表示装置に出力する設定情報出力手段をさらに設けることも可能である。
これは、この画像表示装置の情報取得機器が、画像表示装置を遠隔制御可能なリモートコントローラとしての機能を有するものであって、電子透かしとして埋め込まれた情報を取得し、それに対する操作を行うことによって画像表示装置を遠隔制御することができる。
【００１８】
（５）本発明の画像表示装置の情報取得・設定方法は、画像表示装置に関する情報を画像表示装置の情報取得機器が取得して、取得した画像表示装置に関する情報に基づいて前記画像表示装置の状態をある状態に設定する画像表示装置の情報取得・設定方法であって、前記画像表示装置は、該画像表示装置に関する情報を、該画像表示装置が表示する画像中に電子透かしとして埋め込む電子透かし埋め込みステップと、該電子透かしの埋め込まれた画像を表示させる画像表示ステップとを有し、前記画像表示装置の情報取得機器は、前記画像表示装置によって表示された表示画像を撮像して得られた撮像画像から電子透かしの読み出しを行って、前記画像表示装置に関する情報の取得を行う電子透かし読み出しステップと、この電子透かし読み出しステップによって取得された前記画像表示装置に関する情報を表示させる表示ステップと、この表示ステップによる表示内容に基づいた設定操作がユーザによってなされることにより、その設定操作に対応する設定情報を出力する設定情報出力ステップとを有することを特徴としている。
【００１９】
このように、画像表示装置に関する情報を表示すべき画像中に電子透かしとして埋め込んで表示させ、ユーザは画像表示装置を画像表示装置の情報取得機器（リモートコントローラなど）を用いて撮像することによって、その情報取得機器に設けられた表示画面上で画像表示装置に関する情報を確認することができる。
【００２０】
これによって、画像表示装置に関する情報を表示画像上にスーパーインポーズして表示させる必要がなくなり、本来の表示画像の表示中においてもその表示画像を阻害することがなくなる。また、その表示画面上で確認した内容に基づいた設定操作をユーザが行うことにより、画像表示装置の状態をある状態に設定することもできる。
【００２１】
（６）本発明のもう一方の画像表示装置は、画像表示装置の設定情報や機器情報などの画像表示装置に関する情報を取得可能で、かつ、撮像手段を有する画像表示装置であって、前記撮像手段で撮像された撮像画像に、前記画像表示装置に関する情報が電子透かしとして埋め込まれている場合、その電子透かしを読み出して前記画像表示装置に関する情報を取得する電子透かし読み出し処理手段を有することを特徴としている。
【００２２】
これは、撮像手段を有する画像表示装置に電子透かしを読み出すことのできる電子透かし読み出し処理手段を設けたものであって、これによれば、たとえば、あるコンテンツを表示する上で最適な設定情報などが電子透かしとして埋め込まれた画像を、画像表示装置に設けられた撮像手段で撮像することによって、その撮像画像から電子透かしを読み出して設定情報を自動的に取得することができる。
（７）本発明のもう一方の画像表示装置の情報取得・設定方法において、撮像手段を有する画像表示装置によってあるコンテンツを表示させる際、該コンテンツの表示を行うに最適な情報を取得して、その取得した情報に基づいて前記画像表示装置をある状態に設定する画像表示装置の情報取得・設定方法であって、前記コンテンツを表示させるに最適な情報が電子透かしによって埋め込まれた画像を前記撮像手段で撮像して得られた撮像画像から電子透かしを読み出して、前記コンテンツの表示を行うに最適な情報を取得する情報取得ステップと、この情報取得ステップによって取得された情報によって前記画像表示装置の状態をある状態に設定する状態設定ステップとを有することを特徴としている。
【００２３】
これによって、コンテンツを表示させる上で最適な情報を取得して、その取得した情報の設定処理を自動的に行うことができる。たとえば、コンテンツが映画などである場合、その映画の作成者の意図を適切に反映した表示を行うことができ、最適な表示状態で映画を表示させることができる。
【００２４】
なお、（５）と（７）に記載の画像表示装置の情報取得・設定方法および（６）に記載の画像表示装置においても、画像表示装置には、表示する画像に電子透かしを埋め込むか否かを選択できる電子透かし埋め込み選択手段を有することが望ましい。同様に、（５）と（７）に記載の画像表示装置の情報取得・設定方法および（６）に記載の画像表示装置においても、画像表示装置の情報取得機器には、画像表示装置の状態に設定するための設定操作がユーザによってなされることにより、その設定操作に対応した設定情報を前記画像表示装置に出力する設定情報出力手段を設けることが可能である。
【００２５】
（８）本発明の画像表示装置の設定情報が埋め込まれたコンテンツは、前記（６）に記載の画像表示装置で表示される画像に該画像表示装置の設定情報が電子透かしとして埋め込まれていることを特徴としている。
このようなコンテンツを前記（６）に記載の画像表示装置で表示させることによって、該画像表示装置は、該コンテンツを表示させる上で最適な情報を取得することができる。
【００２６】
（９）前記（８）に記載の画像表示装置の設定情報が埋め込まれたコンテンツにおいて、前記電子透かしの設定情報は、前記画像の冒頭部分に埋め込まれていることが好ましい。
これによって、前記画像表示装置はコンテンツを表示させてから直ぐに設定情報を取得することができ、コンテンツの表示開始直後の段階で該画像表示装置の設定をそのコンテンツに対して最適なものとすることができる。
【００２７】
（１０）前記（８）または（９）記載の画像表示装置の設定情報が埋め込まれたコンテンツにおいて、前記電子透かしの設定情報は、前記画像の内容の変化に応じて必要箇所に埋め込まれていることが好ましい。
これは、たとえば、設定情報の切り替えを行った方が望ましい場面ごとに、その場面の直前に、設定すべき設定情報を電子透かしとしてコンテンツに埋め込んでおくもので、これによって、たとえば、映画などで場面が大きく変わるような場合でも最適な状態で表示させることができる。なお、この設定情報を画像の内容の変化に応じて必要箇所に埋め込むことと（９）に記載の設定情報を冒頭に埋め込むことを併用できることは勿論である。
【発明を実施するための最良の形態】
【００２８】
以下、本発明の実施の形態について説明する。なお、この実施の形態で説明する内容は、本発明の画像表示装置、画像表示装置の遠隔制御機器および画像表示装置の情報取得・設定方法の説明を含むものである。なお、この実施形態では、画像表示装置はプロジェクタであるとし、また、プロジェクタに関する情報を取得する画像表示装置の情報取得機器は、プロジェクタを遠隔制御可能で、かつ、撮像機能を有した遠隔制御装置（リモートコントローラ）であるとして説明する。
【００２９】
また、プロジェクタに関する情報は、プロジェクタの状態をある状態に設定するための設定情報（たとえば、明るさや色の調整、形状の調整などを様々な状態に設定するための情報）や当該プロジェクタの機器情報（プロジェクタ内部に設けられた温度センサからの温度情報、プロジェクタの使用時間などの情報）を含むものであるが、この実施形態では、プロジェクタに関する情報は、設定情報であるとして説明する。
【００３０】
〔実施形態１〕
まず、本発明の画像表示装置の情報取得・設定方法の概略について図１を参照して説明する。本発明は、画像表示装置としてのプロジェクタ１から表示される画像内に、このプロジェクタ１の設定情報を電子透かしとして埋め込みを行い、その電子透かしの埋め込まれた画像をスクリーン２などに表示させる。
【００３１】
そして、そのスクリーン２に表示された表示画像を、リモートコントローラ（以下、リモコンという）３の撮像手段３０で撮像し、その撮像データから電子透かしを所定の電子透かし読み出しアルゴリズムによって読み出して、読み出した電子透かしから設定情報を取得して、その取得した設定情報をリモコン３上の表示画面３１に表示させる。
そのリモコン３を操作するユーザは、リモコン３の表示画面３１に表示された設定情報から、プロジェクタ１が現在どのような設定となっているかを知ることができる。
【００３２】
これによれば、従来のように、スクリーン２上に表示されている本来の画像にプロジェクタ１の設定情報をスーパーインポーズして表示させることなくユーザに知らせることができる。
【００３３】
このように、設定情報をリモコン３で取得できることで、たとえば、他のプロジェクタの設定情報の取得も可能となる。これによって、たとえば、講演会場等の広い会場などで複数のプロジェクタに同一のコンテンツを表示させたいといった場合、他のプロジェクタの設定情報を画面に表示させることなく取得したり、設定情報を統一したりするのに有効なものとなる。
【００３４】
また、どのような形式で電子透かしが埋め込まれているかを知っていれば、上述のような専用のリモコン３でなく、たとえば、ディジタルスチルカメラなどの撮像手段を画像表示装置の情報取得機器として用いることも可能であり、ディジタルスチルカメラなどの撮像手段でプロジェクタ１の表示画像を撮像すれば、その撮像画像から設定情報を読み出すことも可能である。
【００３５】
図２は本発明の画像表示装置としてのプロジェクタ１の構成図、図３は本発明の画像表示装置の情報取得機器としてのリモコン３の構成図である。なお、この図２および図３に示すプロジェクタ１およびリモコン３の構成は、本発明を説明する上で必要な構成要素のみが示され、プロジェクタ１やリモコン３としての本来の機能を実行する様々な構成要素の図示は省略されている。
【００３６】
プロジェクタ１は、ＰＣ、メモリカード、ネットワークなどから供給される表示コンテンツに電子透かしの埋め込みを行うか否かを選択可能な電子透かし埋め込み選択スイッチ１１、設定情報が記憶される設定情報記憶部１２、表示コンテンツに電子透かしを埋め込む電子透かし埋め込み処理部１３、表示コンテンツを表示する画像表示処理部１４、リモコン３上でユーザの行った操作（何らかの設定値を変更するなどの操作）に応じた設定情報を入力する設定情報入力処理部１５、この設定情報入力処理部１５に入力された設定情報を取得して設定情報記憶部１２の記憶内容を書き換える設定情報取得部１６などを有している。
なお、電子透かし埋め込み選択スイッチ１１は、表示コンテンツに電子透かしを埋め込む場合は端子ａ側とし、表示コンテンツに電子透かしを埋め込まない場合は端子ｂ側とする。
【００３７】
一方、リモコン３は、撮像手段３０、この撮像手段３０で撮像された撮像画像から電子透かしを所定の電子透かし読み出しアルゴリズムによって読み出して設定情報を取得する電子透かし読み出し処理部３２、この電子透かし読み出し処理部３２で取得された設定情報を記憶する設定情報記憶部３３、この設定情報記憶部３３に記憶されている設定情報を、図１で示した表示画面３１上に表示させるための処理を行う設定情報表示処理部３４、ユーザの操作（何らかの設定値を変更するなどの操作）を入力して、その操作に対応する設定情報を取得する設定情報取得部３５、この設定情報取得部３５で取得された設定情報をプロジェクタ１側に赤外線を用いた通信手法などによって送信する設定情報出力部３６などを有している。
【００３８】
なお、設定情報取得部３５で取得された設定情報（ユーザの操作によって設定された設定情報）は、設定情報出力部３６によってプロジェクタ１に送信されるだけでなく、設定情報記憶部３３に記憶され、設定情報表示処理部３４によって表示画面３１上で表示される。
【００３９】
このような構成においてその動作を説明する。プロジェクタ１側において、表示コンテンツに電子透かしを埋め込む場合には、電子透かし埋め込み選択スイッチ１１を端子ａに設定する。これによって、表示コンテンツは電子透かし埋め込み処理部１３に入力され、設定情報記憶部１２に記憶されている設定情報が電子透かしとして表示コンテンツに埋め込まれる。
この設定情報が電子透かしとして埋め込まれた表示コンテンツは、画像表示処理部１４によって画像として出力され、たとえば、スクリーン２（図１参照）などに表示される。
【００４０】
一方、リモコン３側では、スクリーン２などに表示された画像を撮像手段３０で撮像し、その撮像画像に対し電子透かし読み出し処理部３２が電子透かし読み出し処理を行う。この電子透かし読み出し処理部３２が行う電子透かし読み出し処理そのものは本発明の要旨となるものではなく種々の方法を採用することができるので、ここではその説明は省略する。
【００４１】
この電子透かし読み出し処理部３２で電子透かしが読み出されれば、読み出された電子透かしを解読して設定情報を取得する。この取得された設定情報は設定情報記憶部３３に記憶され、この設定情報記憶部３３に記憶された設定情報は設定情報表示処理部３４によって表示画面３１で表示される。この表示画面３１で表示された設定情報は現時点においてプロジェクタ１に設定されている設定情報である。
【００４２】
そして、そのリモコン３を操作するユーザが、表示画面３１上に表示された設定情報（現時点においてプロジェクタ１に設定されている設定情報）に基づいて、リモコン操作（たとえば、色調整や明るさ調整操作など）を行うと、そのリモコン操作に対応する設定情報が設定情報取得部３５で取得される。この設定情報取得部３５で取得された設定情報は、設定情報記憶部３３に記憶され、設定情報表示処理部３４によって表示画面３１上に表示されるとともに、設定情報出力部３６によりプロジェクタ１側に送信される。
【００４３】
このリモコン３から出力された設定情報は、プロジェクタ１の設定情報入力処理部１５に入力され、設定情報取得部１６によってユーザの行った操作入力に対応する設定情報が取得され、この設定情報取得部１６で取得された設定情報によって設定情報記憶部１２の記憶内容が書き換えられる。
【００４４】
すなわち、ユーザがリモコン３の表示画面３１に表示された現時点におけるプロジェクタ１に設定された設定情報を見て、その設定情報に対するリモコン操作（たとえば、明るさをもう少し明るくするといった操作など）を行うと、そのリモコン操作に応じた設定情報によってプロジェクタ１の設定情報記憶部１２の記憶内容が書き換えられる。この書き換えられた設定情報が現時点における設定内容となる。
【００４５】
なお、設定情報記憶部１２に記憶されている設定情報は、この図２では図示されていないそれぞれの状態設定処理部によって読み出されて、読み出された設定情報に応じた状態設定がなされる。たとえば、画像の明るさをある値に設定する設定情報に対しては、それに対応する状態設定部がその設定情報を読み出して、読み出した設定情報に応じた明るさの設定を行う。
【００４６】
そして、引き続き、電子透かし埋め込み選択スイッチ１１が端子ａ側、すなわち、表示コンテンツに対し電子透かしの埋め込みを行う設定となっていれば、現時点における設定情報が設定情報記憶部１２から読み出されて、読み出された設定情報が電子透かし埋め込み処理部１３で表示コンテンツに埋め込まれ、その電子透かしの埋め込まれた表示コンテンツがスクリーン２に表示される。
【００４７】
そして、リモコン３側では、スクリーン２に表示された画像を撮像手段３０で撮像し、その撮像画像を電子透かし読み出し処理部３２で電子透かし読み出し処理を行う。この電子透かし読み出し処理部３２で電子透かしが読み出されれば、読み出された電子透かしを解読して設定情報を取得する。この取得された設定情報は設定情報記憶部３３に記憶され、その記憶された設定情報は設定情報表示処理部３４によって現時点における設定情報として表示画面３１上に表示される。
【００４８】
そして、そのリモコン３を操作するユーザが、表示画面３１上に表示された設定情報に基づいて、リモコン操作（たとえば、色調整や明るさ調整操作など）を行うと、そのリモコン操作に対応する設定情報が設定情報取得部３５で取得される。この設定情報取得部３５で取得された設定情報は、設定情報記憶部３３に記憶され、設定情報表示処理部３４によって表示画面３１上に表示されるとともに、設定情報出力部３６によりプロジェクタ１側に送信される
このリモコン３から出力される設定情報によって、上述と同様の動作により、プロジェクタ１側の設定情報記憶部１２の記憶内容が書き換えられる。なお、リモコン３の表示画面３１上に設定情報が表示されても、ユーザがリモコン操作を行わなければ（たとえば、表示画面３１上に表示された設定情報がユーザの所望とする内容であるような場合）、プロジェクタ１側の設定情報記憶部１２の記憶内容はそのままの状態を保持する。
【００４９】
これまでの説明は、表示コンテンツに電子透かしを埋め込む設定とした例であったが、表示コンテンツに電子透かしを埋め込まないようにすることもできる。その場合、電子透かし埋め込み選択スイッチ１１を端子ｂ側に設定すればよい。
【００５０】
このように、電子透かし埋め込み選択スイッチ１１を端子ｂ側とすれば、表示コンテンツは電子透かし埋め込み処理部１３には入力されずに、直接、画像表示処理部１４に入力され、電子透かしが埋め込まれない画像としてスクリーン２に投影される。この場合、リモコン３によってスクリーン２に投影された画像を撮像し、その撮像画像を電子透かし読み出し処理部３２で読み出し処理しても、有効な電子透かしは読み出されず、設定情報の取得はなされない。
【００５１】
このように実施形態１によれば、表示コンテンツに設定情報を電子透かしとして埋め込むことを可能とし、ユーザ側はリモコン３でプロジェクタ１の表示画像を撮像することによって、リモコン３の表示画面３１にプロジェクタ１の設定情報を表示させることができる。
【００５２】
これにより、従来のように、本来の表示画像にプロジェクタ１の設定情報をスーパーインポーズして表示させることなく、プロジェクタ１の現時点の設定情報をユーザに提示させることができるので、プロジェクタ１の本来の表示画像を阻害することがなくなる。
【００５３】
また、設定情報をリモコン３で取得できることで、たとえば、他のプロジェクタの設定情報の取得も可能となり、前述したように、講演会場等の広い会場などで複数のプロジェクタに同一のコンテンツを表示させたいといった場合、他のプロジェクタの設定情報を画面に表示させることなく取得したり、設定情報を統一したりするのに有効なものとなる。
【００５４】
また、電子透かしがどのような形式で埋め込まれているかを知っていれば、専用のリモコンでなく、たとえば、ディジタルスチルカメラなどの撮像手段で表示画面を撮像することによって、その撮像画像データから設定情報を読み出すことも可能であり、設定情報を一般の画像データとして保存・流通させることが可能となる。
【００５５】
なお、実施形態１では電子透かしを埋め込むか否かは電子透かし埋め込み選択スイッチ１１によって自由に設定することができるようになっている。これによって、電子透かしを埋め込みたくないような表示コンテンツには、電子透かしの埋め込みを行わないようにすることができる。
【００５６】
〔実施形態２〕
この実施形態２は、画像表示装置としては実施形態１と同様に、投射型の画像表示装置（プロジェクタとする）とするが、この実施形態２ではそのプロジェクタに撮像手段を有している例を考える。なお、プロジェクタは色や形状のひずみを補正するなどの目的で、投影画像の撮像が可能な撮像手段を内蔵しているものがすでに存在している。
【００５７】
この実施形態２ではこのような撮像装置を有したプロジェクタを用いて、たとえば、映画などのコンテンツを作成する際に、その映画を表示するプロジェクタにて最適な状態で表示できるようにするための設定情報を、その映画の作成者側が指定することができるようにするものである。
【００５８】
図４はこの実施形態２を説明する全体的な構成図であり、プロジェクタ１には投影画面（この図４では図示せず）を撮像可能とするための撮像手段（ディジタルスチルカメラなど）１０が内蔵されている。
【００５９】
そして、たとえば、表示コンテンツ（映画など）が記憶されたＤＶＤ（Digital Versatile Disc）などの表示コンテンツ記録媒体４を再生装置５に装着してプロジェクタ１でスクリーンに投影させる場合、表示コンテンツ記録媒体４（以下、ＤＶＤ４という）の再生開始前に、そのＤＶＤ４を収納する収納ケース６に入っている映画案内などの印刷物７をユーザがプロジェクタ１の撮像手段１０の前にかざして、その撮像手段１０でその印刷物７を撮像させる。
【００６０】
なお、この印刷物７は、たとえば、表示コンテンツが映画であればその映画案内用としてタイトルや写真などが画像として印刷されたジャケットなどであるとする。そして、その印刷物７に印刷された画像に、それぞれの画像表示装置の機種に対応できるような設定情報（その映画を最適な状態で表示することのできるような設定情報）を電子透かしとして埋め込んでおく。
【００６１】
また、この実施形態２を実現するに必要なプロジェクタ１の構成要素としては、図５に示すように、撮像手段１０、この撮像手段１０で撮像された撮像画像から電子透かしを読み出して設定情報を取得する電子透かし読み出し処理部１７、読み出された設定情報を記憶する設定情報記憶部１２、設定情報記憶部１２の記憶内容に基づいて状態設定を行う状態設定処理部１８、状態設定処理部１８で設定された状態に基づいた画像表示を行う画像表示処理部１４を有している。
【００６２】
なお、この図５も図２と同様、この実施形態２を説明するに必要な構成要素のみが示され、プロジェクタとしての本来の機能を実行するに必要な様々な構成要素の図示は省略されている。
【００６３】
このような構成において、ＤＶＤ４の再生を行う前に、そのＤＶＤ４の収納ケース６に入っている印刷物７をプロジェクタ１の撮像手段１０で撮像させる。これによって、撮像手段１０で撮像された撮像画像は電子透かし読み出し処理部１７に送られ、所定の電子透かし読み出しアルゴリズムによって電子透かしの読み出し処理が行われる。ここで、撮像画像に電子透かしが入っていれば、その電子透かしが読み出され、その電子透かしを解読することによって設定情報が取得され、取得された設定情報は設定情報記憶部１２に記憶される。
【００６４】
そして、状態設定処理部１８は設定情報記憶部１２に記憶された設定情報に基づいて状態設定を行い、画像表示処理部１４は状態設定処理部１８での設定内容に基づいた画像表示を行う。
【００６５】
これによって、プロジェクタ１によって表示される表示画像は、その表示コンテンツの作成者によって指定された設定情報が適切に反映された画像となり、表示コンテンツがたとえば映画であれば、その映画の作成者の意図を適切に反映した状態で再生することができる。
【００６６】
このように、この実施形態２では、表示コンテンツを表示する上で最適な設定情報が自動的に取得され、その取得された設定情報に基づいた画像表示を行うことができるので、ユーザが手動で最適な状態に設定するというような操作を行う必要がなくなる。しかも、実施形態１と同様、設定情報はスーパーインポーズされないので、本来の表示画像を阻害することがなくなる。
【００６７】
なお、この実施形態２で用いる撮像手段１０を有するプロジェクタは、図５で示した構成要素に加えて、図２で示した、電子透かし埋め込み処理部１３、電子透かし埋め込み選択スイッチ１１、設定情報入力処理部１５、設定情報取得部１６などを設けるようにし、かつ、図３で示したリモコン３を用意すれば、この実施形態２で説明した動作の他に、実施形態１で説明したと同様の動作をも行うことができる。
【００６８】
なお、上述の例では、ＤＶＤを再生する前に、印刷物７などに印刷された画像（電子透かしの埋め込まれた画像）を撮像手段１０で撮像して、電子透かしを読み出して設定情報を取得するようにしたが、設定情報を電子透かしとして埋め込む場所は、印刷物７などの印刷された画像でなく、たとえば、ＤＶＤ４を再生してプロジェクタ１によって投影される画像の冒頭の部分（映画であれば題名や配役が表示される部分など）に設定情報を電子透かしとして埋め込んでおき、それを撮像手段１０で撮像することによって、その映画に適した設定情報を取得するようにしてもよい。
【００６９】
また、表示すべきコンテンツのところどころに設定情報を電子透かしとして埋め込んでおくことにより、たとえば、表示コンテンツが映画などである場合、場面によって最適な表示状態とさせることもできる。
【００７０】
これは、明るさの低い場面が続くような場合、プロジェクタ１側で明るさの低い画像の分解能を高くして表示できるような設定とし、その明るさの低い場面から急に明るさの高い場面に移るような場合には、明るい場面に移ると同時に、それに対応できるような設定を行うというように、場面に応じた設定情報をプロジェクタ１で自動的に取得して、その取得した設定情報に基づいた状態設定処理を行うというものである。
【００７１】
これを実現するには、設定情報の切り替えを行った方が望ましい場面ごとに、その場面の直前に、設定すべき設定情報を電子透かしとして表示コンテンツに埋め込んでおき、プロジェクタ１側では、その表示コンテンツを投影しながら撮像手段１０で表示画像を撮像する。そして、撮像手段１０による撮像画像を電子透かし読み出し処理部１７で読み出し処理を行い、電子透かしが読み出された場合には、読み出された電子透かしに対応する設定情報を取得し、取得した設定情報に基づいた画像表示を行う。
【００７２】
これによって、上述したように、明るさの低い場面が続くような場合、その直前で、明るさの低い画像の分解能を高くするというような設定情報が取得され、取得された設定情報に基づいた最適な画像表示を行うことができ、また、明るさの低い場面から急に明るさの高い場面に移るような場合には、明るさの高い場面に移る直前で、それに対応した設定情報が取得されることで、その場面において最適な画像処理を行うことができる。
【００７３】
このように、表示コンテンツ中に、それぞれの場面に応じた設定情報を電子透かしによって埋め込んでおき、プロジェクタ１ではその表示コンテンツを投影しながら撮像手段１０で撮像することにより、必要なタイミングでその場面に対応した設定情報を読み出すことができ、場面ごとに最適な状態で表示させることができる。
【００７４】
なお、本発明は上述の実施の形態に限られるものではなく、本発明の要旨を逸脱しない範囲で種々変形実施可能となるものである。たとえば、前述の実施形態では、画像表示装置としてプロジェクタを例にとして説明したが、プロジェクタに限られるものではなく、他の画像表示装置にも適用可能である。
【００７５】
また、本発明は以上説明した本発明を実現するための処理手順が記述された処理プログラムを作成し、その処理プログラムをフロッピィディスク、光ディスク、ハードディスクなどの記憶媒体に記憶させておくこともでき、本発明は、その処理プログラムの記憶された記憶媒体をも含むものである。また、ネットワークから当該処理プログラムを得るようにしてもよい。
【図面の簡単な説明】
【００７６】
【図１】本発明の実施形態１を説明するための全体的な構成図である。
【図２】図１で示した画像表示装置の要部構成図である。
【図３】図１で示した画像表示装置の情報取得機器としてのリモコンの要部構成図である。
【図４】本発明の実施形態２を説明するための全体的な構成図である。
【図５】図４で示した画像表示装置の要部構成図である。
【符号の説明】
【００７７】
１  画像表示装置（プロジェクタ）、２  スクリーン、３  画像表示装置の情報取得機器（リモコン）、１０，３０  撮像手段、１１  電子透かし埋め込み選択スイッチ、１２，３３  設定情報記憶部、１３  電子透かし埋め込み処理部、１４  画像表示処理部、１５  設定情報入力処理部、１６，３５  設定情報取得部、１７，３２  電子透かし読み出し処理部、３４  設定情報表示処理部、３６  設定情報出力部
【図１】
2005204043.tif 000003
【図２】
2005204043.tif 000004
【図３】
2005204043.tif 000005
【図４】
2005204043.tif 000006
【図５】
2005204043.tif 000007